(57)【要約】【課題】塵などの異物がＣＣＤ撮像素子に付着するのを防止し、結像量を向上させることができるデジタルカメラモジュールを提供すること。【解決手段】本発明に係るデジタルカメラモジュールは、鏡胴と、鏡筒取付け枠と、撮像ユニットと、を含む。該鏡胴は、中空円柱状であり、複数のレンズを収容するための第一胴部と、裏面に内ネジを形成した第二胴部と、を含む。前記鏡筒取付け枠は、中空円柱状であり、外周面に前記内ネジと係合する外ネジを形成する。前記撮像ユニットは前記鏡筒取付け枠に収容される。本発明に係るデジタルカメラモジュールは焦点を調節する時に、該鏡胴と該鏡筒取付け枠との摩擦により生じた塵や外部の粒子などが前記撮像ユニットに付着するのを防止することができ、該撮像ユニットの精度を向上させ、該デジタルカメラモジュールの結像量を向上させることができる。【選択図】図２
2007006502.tif 000002
【特許請求の範囲】
【請求項１】
レンズが配置される中空の鏡胴と、
中空の鏡筒取付け枠と、
撮像ユニットと、を含むデジタルカメラモジュールにおいて、
前記鏡胴は第一胴部と、裏面に内ネジを形成した第二胴部を含み、
前記鏡筒取付け枠の外周面には該内ネジと係合する外ネジが形成され、
前記撮像ユニットは該鏡筒取付け枠に収容されることを特徴とするデジタルカメラモジュール。
【請求項２】
前記鏡筒取付け枠は、上方筒状部及び下方筒状部を含み、
該上方筒状部の裏面の底部の近くには環状の凸台が延設され、
前記外ネジが該上方筒状部の外周面に形成され、
前記下方筒状部は前記上方筒状部の底部から下方へ延在し、その内径が該上方筒状部の外径より大きくなされていることを特徴とする、請求項１に記載のデジタルカメラモジュール。
【請求項３】
前記デジタルカメラモジュールは、前記鏡筒取付け枠の下方筒状部に接着された光透過層を更に有することを特徴とする、請求項１または請求項２に記載のデジタルカメラモジュール。
【請求項４】
前記撮像ユニットはベース、ＣＣＤ撮像素子及び該基板の上表面に配置されたフランジを含み、
該フランジは該基板の上表面に接着するための第一表面及び第二表面を有することを特徴とする、請求項１に記載のデジタルカメラモジュール。
【請求項５】
前記撮像ユニットは金属板を更に有し、
該金属板は、
前記フランジの第二表面に配置された第一板、
前記ベースの下表面に配置された第二板、及び
該第一板と第二板と垂直に接続された第三板と、を含み、
前記ＣＣＤ撮像素子は前記リードによって前記金属板の第一板と電気的に接続されることを特徴とする、請求項４に記載のデジタルカメラモジュール。
【発明の詳細な説明】
【技術分野】
【０００１】
本発明はデジタルカメラモジュールに係り、特に塵などの異物がＣＣＤ撮像素子に付着するのを防止することができるデジタルカメラモジュールに関するものである。
【背景技術】
【０００２】
近年、ＣＣＤ 等の撮像素子を用いるデジタルカメラが数多く市場に出回るようになっている。
【０００３】
図１に示す従来のデジタルカメラモジュールは鏡胴１０と、鏡筒取付け枠１２と、撮像ユニット１４と、を含む。該鏡胴１０の外周面には外ネジ１０２を形成し、該鏡筒取付け枠１２の内周面には該外ネジ１０２と係合する内ネジ１２２を形成する。前記撮像ユニット１４はベース１４２及び該ベースに配置されたＣＣＤ撮像素子１４４を含む。該ベース１４２はＣＣＤ撮像素子１４４とその回路基板との電気的な接続を実現するために用いられる。鏡胴１０を組み付けた鏡筒取付け枠１２で撮像ユニット１４を覆い、鏡筒取付け枠１２を撮像ユニット１４のベース１４に固定させる。焦点を調節する際に、鏡筒取付け枠１２に対して鏡胴１０を回転させて鏡胴１０とＣＣＤ撮像素子１４４との距離を調整することによって、前記デジタルカメラモジュールを最良な撮像形態に構成し、最後に、めっきなどの方法によって鏡胴１０を鏡筒取付け枠１２に固定させ、これにより、デジタルカメラモジュールが得られる。
【０００４】
しかし、鏡胴１０とＣＣＤ撮像素子１４４との距離を調整して焦点を調節する時に、鏡胴１０と鏡筒取付け枠１２との摩擦により生じた塵や外部の粒子などが該ＣＣＤ撮像素子１４４に付着し易く、ＣＣＤ撮像素子１４４の精度に影響を与え、該デジタルカメラモジュールの結像量を低減させるという問題がある。
【発明の開示】
【発明が解決しようとする課題】
【０００５】
以上の問題点に鑑みて、本発明は、塵などの異物がＣＣＤ撮像素子に付着するのを防止し、結像量を向上させることができるデジタルカメラモジュールを提供するのことを目的とする。
【課題を解決するための手段】
【０００６】
本発明に係るデジタルカメラモジュールは、鏡胴と、鏡筒取付け枠と、撮像ユニットと、を含む。該鏡胴は、中空円柱状であり、複数のレンズを収容するための第一胴部と、裏面に内ネジを形成した第二胴部と、を含む。前記鏡筒取付け枠は、中空円柱状であり、外周面に前記内ネジと係合する外ネジを形成する。前記撮像ユニットは前記鏡筒取付け枠に収容される。
【発明の効果】
【０００７】
本発明に係るデジタルカメラモジュールは、前記鏡胴と前記鏡筒取付け枠との連接用ネジ（前記内ネジ及び前記外ネジを含む）を該鏡筒取付け枠の外部に形成することにより、焦点を調節する時に、該鏡胴と該鏡筒取付け枠との摩擦により生じた塵や外部の粒子などが前記撮像ユニットに付着するのを防止することができ、該撮像ユニットの精度を向上させ、該デジタルカメラモジュールの結像量を向上させることができる。
【発明を実施するための最良の形態】
【０００８】
以下図面に基づいて、本発明の実施形態に係るデジタルカメラモジュールに対して詳細に説明する。
【０００９】
図２を参照すると、本発明のデジタルカメラモジュールの第一実施形態は、鏡胴２０と、鏡筒取付け枠２２と、撮像ユニット２４と、を含む。該撮像ユニット２４は、ベース２５、接着部２６、ＣＣＤ撮像素子２７、及び複数のリード２８を含む。
【００１０】
鏡胴２０は、中空円柱状であり、複数のレンズ２０６（図２に一つだけ示す）を収容するための第一胴部２０２と、裏面に内ネジ２０８を形成した第二胴部２０４と、を含む。該第一胴部２０２は内径が該第二胴部２０４の内径より小さく構成される。
【００１１】
鏡筒取付け枠２２は、中空円柱状であり、底部の近くの外周面に円形状の凸台２２２が延設され、該凸台２２２を設けず外周面に前記第二胴部２０４の内ネジ２０８と係合する他のネジ２２４が形成される。
【００１２】
前記ベース２５の材料はプラスチック、ガラスファイバー、強化プラスチック又はセラミックスの中から一つが選択される。該ベース２５の上、下表面にはそれぞれ電気的に接続した複数の上溶接部２５１及び下溶接部２５２が対応して設けられる。
【００１３】
ＣＣＤ撮像素子２７は接着部２６によって前記ベース２５に溶接される。該ＣＣＤ撮像素子２７は、頂部に受光部２７１を設け、該受光部２７１の回りに複数の溶接部２７２を設ける。
【００１４】
前記複数のリード２８は、金属などの電気伝導性材料から形成するものである。各リード２８は、一端が前記ＣＣＤ撮像素子２７の対応した溶接部２７２と電気的に接続され、他端が前記ベース２５の対応する上溶接部２５１と電気的に接続される。
【００１５】
前記デジタルカメラモジュールを組み立てる時に、まず、その前記内ネジ２０８と前記外ネジ２２４との係合によって鏡胴２０を鏡筒取付け枠２２に固定させ、その次に、鏡胴２０を組み立てた鏡筒取付け枠２２がＣＣＤ撮像素子２７を収容するようにベース２５に固定されるようにし、焦点を調節する際に、鏡筒取付け枠２２に対して鏡胴２０を回転させて鏡胴２０とＣＣＤ撮像素子２７との距離を調整することによって、前記デジタルカメラモジュールを最良な撮像形態に構成し、最後に、めっきなどの方法によって鏡胴２０を鏡筒取付け枠２２に固定させ、これにより、デジタルカメラモジュールが得られる。
【００１６】
前記デジタルカメラモジュールは、鏡胴２０と鏡筒取付け枠２２との連接用ネジ（内ネジ２０８及び外ネジ２２４を含む）を鏡筒取付け枠２２の外部に形成することにより、鏡胴２０とＣＣＤ撮像素子２７との距離を調整して焦点を調節する時に、鏡胴２０と鏡筒取付け枠２２との摩擦により生じた塵や外部の粒子などが該ＣＣＤ撮像素子２７の受光部２７１に付着するのを防止することができ、ＣＣＤ撮像素子２７の精度を向上させ、該デジタルカメラモジュールの結像量を向上させることができる。
【００１７】
図３を参照すると、本発明のデジタルカメラモジュールの第二実施形態は鏡胴３０と、鏡筒取付け枠３２と、撮像ユニット３４と、を含む。該撮像ユニット３４はベース３５、フランジ３６、接着部３７、ＣＣＤ撮像素子３８、複数のリード３９、光透過層４０、及び複数の金属板４１を含む。
【００１８】
鏡胴３０は、中空円柱状であり、複数のレンズ３０６（図３に一つだけ示す）を収容するための第一胴部３０２と、裏面に内ネジ３０８を形成した第二胴部３０４と、を含む。該第一胴部３０２は内径が該第二胴部３０４の内径より小さく構成される。
【００１９】
鏡筒取付け枠３２は、中空円柱状であり、上方筒状部３２１、及び下方筒状部３２２を含む。該上方筒状部３２１の裏面の底部の近くには環形状の凸台３１３が延設され、該凸台２２２を設けず外周面に外ネジ３２４形成するように構成される。前記下方筒状部３２２は前記上方筒状部３２１の底部から下方へ延在するものであり、その内径が該上方筒状部３２１の外径より大きくなされている。
【００２０】
前記ベース３５は上表面３５１、及び下表面３５２を含み、その材料はプラスチック、ガラスファイバー、強化プラスチック又はセラミックスの中から一つが選択される。
【００２１】
前記フランジは、フレーム状にされ、第一表面３６２及び第二表面３６４を含み、該第一表面３６２が前記ベース３５の上表面３５１に接着されることによって、前記ベース３５と収容キャビテー３４６を形成する。
【００２２】
ＣＣＤ撮像素子３８は接着部３６によって前記ベース３５の上表面３５１に接着される。該ＣＣＤ撮像素子２７は、頂部に受光部３８１を設け、該受光部３８１の回りに複数の溶接部３８２を設ける。
【００２３】
前記複数のリード３９は、金属などの電気伝導性材料から形成するものである。各リード３９は、一端が前記ＣＣＤ撮像素子３８の対応した溶接部３８２と電気的に接続され、他端が前記ベース４１と電気的に接続される。
【００２４】
前記光透過層４０は光透過性のガラス層であり、前記フランジ３６の金属板４１で覆われる。これによって、該光透過層４０は前記ＣＣＤ撮像素子３８を覆って、該前記ＣＣＤ撮像素子３８が該光透過層４０を通って光信号を受信することとなる。該光透過層４０は接着剤（図示せず）によって、前記ＣＣＤ撮像素子３８の上方に接着され、外界の塵などが該ＣＣＤ撮像素子３８に付着するのを防止することができる。
【００２５】
前記金属板４１は水平な第一板４１１と、該第一板４１１と平行な第二板４１３と、該第一板４１１と第二板４１３との間でこれらの第一板４１１及び第二板４１３に垂直な第三板４１２と、を含む。該第一板４１１が前記フランジ３６の第二表面３６４に設けられ、該第三板４１２がフランジ３６の第一表面３６２に貼り付けるように設けられ、該第二板４１３がフランジ３６の側面に貼り付けるように設けられる。該第一板４１１がリード３９と電気的に接続され、該第二板４１３が回路基板（図に示せず）と電気的に接続されることによって、前記ＣＣＤ撮像素子３８は該回路基板との電気的な接続が得られる。該光透過層４０は接着剤（図に示せず）によって、前記金属基板４１の上方に接着され、外界の塵などが該ＣＣＤ撮像素子３８に付着するのを防止することができる。
【００２６】
前記デジタルカメラモジュールを組み立てる時に、まず、その前記内ネジ３０８と前記外ネジ３２４との係合によって鏡胴３０を鏡筒取付け枠３２に固定させ、その次に、鏡筒取付け枠３２で撮像ユニット３４を覆い、光透過層４０を鏡筒取付け枠３２の中に収容させ且つ接着剤によって鏡筒取付け枠３２の下方筒状部３２２の中に接着し、これにより、デジタルカメラモジュールが得られる。焦点を調節する際に、鏡筒取付け枠３２に対して鏡胴３０を回転させて鏡胴３０とＣＣＤ撮像素子３８との距離を調整することによって、前記デジタルカメラモジュールを最良な撮像形態に形成し、最後、めっきなどの方法によって鏡胴３０を鏡筒取付け枠３２に固定させる。
【００２７】
前記デジタルカメラモジュールは、鏡胴３０と鏡筒取付け枠３２との連接用ネジ（内ネジ３０８及び外ネジ３２４を含む）を鏡筒取付け枠３２の外部に設けることにより、鏡胴３０とＣＣＤ撮像素子３８との距離を調整して焦点を調節する時に、鏡胴３０と鏡筒取付け枠３２との摩擦により形成した塵や外部の粒子などが該ＣＣＤ撮像素子３８の受光部３８１に付着するのを防止することができ、ＣＣＤ撮像素子３８の清潔度を向上し、該デジタルカメラモジュールの結像量を向上させることができる。また、ＣＣＤ撮像素子３８の上方に光透過層４０を設けることによって、更に塵や外部の粒子などが該ＣＣＤ撮像素子３８の受光部３８１に付着するのを防止することができ、該デジタルカメラモジュールの結像量を向上させることができる。
【００２８】
前記デジタルカメラモジュールの鏡筒取付け枠２２、３２の中には、更に該鏡筒取付け枠２２、３２と一体成形又は別々に成形した鏡胴を含み、前記複数のレンズは該鏡胴に収容される。前記レンズは一つだけを採用してもよい。前記鏡胴及び鏡筒取付け枠は、中空方形柱状体、中空テーパー状体、又はその中空形状体を採用してもよい。
【図面の簡単な説明】
【００２９】
【図１】従来のデジタルカメラモジュールの断面図である。
【図２】本発明のデジタルカメラモジュールの第一実施形態の断面図である。
【図３】本発明のデジタルカメラモジュールの第二実施形態の断面図である。
【符号の説明】
【００３０】
２０、３０  鏡胴
２０２、３０２  第一胴部
２０４、３０４  第二胴部
２０６、３０６  レンズ
２０８、３０８  内ネジ
２２３２  鏡筒取付け枠
２２２、３１３  凸台
２２４、３２４  外ネジ
２４、３４  撮像ユニット
２５、３５  ベース
２５１  上溶接部
２５２  下溶接部
２６、３７  接着部
２７、３８  ＣＣＤ撮像素子
２７１、３８１  受光部
２７２、３８２  溶接部
２８、３９  リード
３２１  上方筒状部
３２２  下方筒状部
３４６  収容キャビテー
３５１  上表面
３５２  下表面
３６  フランジ
３６２  第一表面
３６４  第二表面
４０  光透過層
４１  金属板
４１１  第一板
４１２  第三板
４１３  第二板
【図１】
2007006502.tif 000003
【図２】
2007006502.tif 000004
【図３】
2007006502.tif 000005